(57)【要約】【課題】  アナログ回線通信品質を考慮することでＩＰ網上の対処を効率的にかつ適性に行い、通信品質の向上を図る。【解決手段】  送信機がリアルタイム型インターネットファクシミリであった場合は、ＲＴＮ／ＰＰＲを含むネガティブ応答時にＴ．３０フレーム内にモデムのＥＱＭ（アイクオリティモニタ）情報を設定して送信機に通知する制御を行うシステム制御部４を備えた。【選択図】        図１
2005260832.tif 000002
【特許請求の範囲】
【請求項１】
送信機がリアルタイム型インターネットファクシミリであった場合は、ＲＴＮ／ＰＰＲを含むネガティブ応答時にＴ．３０フレーム内にモデムのＥＱＭ（アイクオリティモニタ）情報を設定して送信機に通知する制御を行うシステム制御部を備えたことを特徴とするファクシミリ装置。
【請求項２】
前記システム制御部は、前記ＥＱＭ情報を設定する能力があることをＮＳＦに宣言し、前記送信機に通知する制御を行うことを特徴とする請求項１記載のファクシミリ装置。
【請求項３】
送信機がリアルタイム型インターネットファクシミリであった場合は、ＲＴＮ／ＰＰＲを含むネガティブ応答時にＴ．３０フレーム内にモデムのＥＱＭ（アイクオリティモニタ）情報を設定して送信機に通知することを特徴とするファクシミリ通信方式。
【請求項４】
前記ＥＱＭ情報を設定する能力があることをＮＳＦに宣言し、前記送信機に通知することを特徴とする請求項３記載のファクシミリ通信方式。
【請求項５】
通信中にＵＤＰの冗長パケットを任意に変更できる通信装置において、請求項１記載のファクシミリ装置よりＥＱＭ情報を認識し、アナログ回線品質が悪いか否かを判定し、前記アナログ回線品質が悪い場合はモデムレートを落とす処理を行い、前記アナログ回線品質が良い場合は前記ＵＤＰの冗長パケット数を変更してパケット喪失を抑制することを特徴とする通信装置。
【請求項６】
通信中にＵＤＰの冗長パケットを任意に変更できる通信装置において、請求項１記載のファクシミリ装置よりＥＱＭ情報を認識し、アナログ回線品質が悪いか否かを判定し、前記アナログ回線品質が悪い場合はモデムレートを落とす処理をし、前記アナログ回線品質が良い場合は前記ＵＤＰの冗長パケット数を変更してパケット喪失を抑制することを特徴とする通信方式。
【発明の詳細な説明】
【技術分野】
【０００１】
本発明は、ファクシミリ装置、ファクシミリ通信方式、通信装置、通信方式に関する。
【背景技術】
【０００２】
ＩＴＵ−Ｔ  Ｔ．３８勧告に則ったリアルタイム型インターネットファクシミリ（以後ＩＰ−ＦＡＸ）よりゲートウェイ装置（以後Ｇ／Ｗ）を経由してアナログ回線につながったＧ３ファクシミリに送信する場合において、ＩＰ−ＦＡＸとＧ／Ｗ間のネットワークトランスポートがＵＤＰであったとき、ＩＰ網上でパケットが送出し、冗長パケットでも復旧しなかった場合は正常に画情報がＧ３ファクシミリに送られない。その場合、Ｇ３ファクシミリ装置からＲＴＮ／ＰＰＲ等の正常に受信できなかった旨応答を受ける。
例えば、特許文献１には、ＲＴＮ応答があった場合は冗長パケット数を増やす技術が提案されている。
【特許文献１】特開２００１−１９７２７９公報
【発明の開示】
【発明が解決しようとする課題】
【０００３】
しかし、上記従来技術では、アナログ回線上の通信品質が悪い場合と区別することができないため無駄に冗長パケットを増やしてしまい、伝送効率を下げてしまうという課題がある。
本発明は、アナログ回線通信品質を考慮することでＩＰ網上の対処を効率的にかつ適性に行い、通信品質の向上を図ることを目的とする。
【課題を解決するための手段】
【０００４】
上記目的を達成するために、請求項１記載の発明では、送信機がリアルタイム型インターネットファクシミリであった場合は、ＲＴＮ／ＰＰＲを含むネガティブ応答時にＴ．３０フレーム内にモデムのＥＱＭ（アイクオリティモニタ）情報を設定して送信機に通知する制御を行うシステム制御部を備えたファクシミリ装置を最も主要な特徴とする。
請求項２記載の発明では、システム制御部は、ＥＱＭ情報を設定する能力があることをＮＳＦに宣言し、送信機に通知する制御を行う請求項１記載のファクシミリ装置を主要な特徴とする。
請求項３記載の発明では、送信機がリアルタイム型インターネットファクシミリであった場合は、ＲＴＮ／ＰＰＲを含むネガティブ応答時にＴ．３０フレーム内にモデムのＥＱＭ（アイクオリティモニタ）情報を設定して送信機に通知するファクシミリ通信方式を最も主要な特徴とする。
請求項４記載の発明では、ＥＱＭ情報を設定する能力があることをＮＳＦに宣言し、送信機に通知する請求項３記載のファクシミリ通信方式を主要な特徴とする。
請求項５記載の発明では、通信中にＵＤＰの冗長パケットを任意に変更できる通信装置において、請求項１記載のファクシミリ装置よりＥＱＭ情報を認識し、アナログ回線品質が悪いか否かを判定し、前記アナログ回線品質が悪い場合はモデムレートを落とす処理を行い、前記アナログ回線品質が良い場合は前記ＵＤＰの冗長パケット数を変更してパケット喪失を抑制することを特徴とする。
請求項６記載の発明では、通信中にＵＤＰの冗長パケットを任意に変更できる通信装置において、請求項１記載のファクシミリ装置よりＥＱＭ情報を認識し、アナログ回線品質が悪いか否かを判定し、前記アナログ回線品質が悪い場合はモデムレートを落とす処理をし、前記アナログ回線品質が良い場合は前記ＵＤＰの冗長パケット数を変更してパケット喪失を抑制することを特徴とする。
【発明の効果】
【０００５】
本発明は、送信機がリアルタイム型インターネットファクシミリであった場合は、ＲＴＮ／ＰＰＲを含むネガティブ応答時にＴ．３０フレーム内にモデムのＥＱＭ（アイクオリティモニタ）情報を設定して送信機に通知することで、所期の目的を達成することができる。
【発明を実施するための最良の形態】
【０００６】
以下、本発明の実施の形態を図面に従って説明する。
図１は本発明の実施の形態に係るファクシミリ装置の機能ブロック図である。本ファクシミリ装置は、原稿を読み取る読み取り部１、受信した画情報やレポート等を記録する記録部２、画情報を符号化・復号化する符号化復号化部３、システム全体の制御を司るシステム制御部４、システム制御部４で使用する不揮発性メモリであるシステムメモリ５を備える。
同様に、本ファクシミリ装置は、画情報を必要に応じて蓄積保存する画情報メモリ６、キー、ＬＥＤ、ＬＣＤ等を設けてユーザの入力操作を許す操作表示部７、伝送制御を司る通信制御部８、回線と通信制御部８の間でアナログ信号の変調／復調を行うモデム９、回線との物理的なＩ／Ｆを持ち、電話機側とファクシミリ側との回線接続を切り替えるＳＷ部１０、Ｔ．３８伝送制御機能とＬＡＮ通信プロトコルを司るＬＡＮ制御部１１を備える。
図２はファクシミリ装置のネットワーク構成図である。本ネットワークは、図２に示すようにＧ３ファクシミリ（Ｇ３−ＦＡＸ）２１、ＩＰ−ＦＡＸ２２、アナログ網とＬＡＮ（ＩＰ網）の間でＩＰ−ＦＡＸ通信とＧ３ファクシミリ通信の変換を行うＧ／Ｗ装置２３で構成される。
まずＩＰ−ＦＡＸ２２よりＧ／Ｗ装置２３に対してＨ．３２３呼接続手順により発呼が行われコネクションが成立し、ＩＰ−ＦＡＸ２２から送られた電話番号を使ってＧ／Ｗ装置２３はＰＳＴＮを通じてＧ−ＦＡＸ２１に発呼してＧ／Ｗ装置２３とＧ３−ＦＡＸ２１の間でコネクションを成立させる（図６の通信手順例１参照）。その後、Ｇ３−ＦＡＸ２１よりＣＥＤ、ＮＳＦ／ＤＩＳとＴ．３０勧告に従った制御信号が送られてくる。その際、ＮＳＦに“ＥＱＭ情報をＰＰＲ／ＲＴＮに付加することが可能”という能力宣言を行う。
前述の制御信号はＧ／Ｗ装置２３によりＴ．３８勧告に規定されるＩＦＰパケットに変換しＵＤＰでＩＰ−ＦＡＸ２２に転送する。ＩＰ−ＦＡＸ２２は受信したＩＦＰパケットを解析しＣＥＤ、ＮＳＦ／ＤＩＳを抽出しＮＳＦに“ＥＱＭ情報をＰＰＲ／ＲＴＮに付加することが可能”を認識しておく。そして送信する原稿のモード（原稿幅、符号化モード、線密度等）をＮＳＳに設定し、またＴ．３８リアルタイムファクシミリであることと“ＥＱＭ情報をＰＰＲ／ＲＴＮに付加するよう依頼”する旨もＮＳＳに設定して受信機に向けて送信する。以上の処理を図３のＳ１１〜Ｓ１４にまとめた。
【０００７】
ＩＰ−ＦＡＸ２２からの送信時は一旦ＩＦＰパケットにＴ．３０フレームデータを入力してＵＤＰでＧ／Ｗ装置２３に転送する。Ｇ／Ｗ装置２３はＩＦＰパケットを解析し、Ｔ．３０フレームを取り出してモデム信号に変換してＧ３−ＦＡＸ２１に送る。引き続きファクシミリ通信手順が手順例１のごとく行われる。Ｇ３−ＦＡＸ２１はＥＣＭ（エラーコレクションモード）であった場合、受信した画情報フレームにエラーを検出すると、ポストメッセージに対してＰＰＲを返送する。そのときモデム９か測定していたＥＱＭ値をＰＰＲフレームに付加して送信する。ＥＣＭではなかったとき、画情報受信後に復号エラーが多数ある場合にＲＴＮを返送する（図７の通信手順例２参照）。このときも同様にＥＱＭ値をＲＴＮに付加して送信側に送信する。以上の処理を図４のＳ２１〜Ｓ２３にまとめた。
送信機（ＩＰ−ＦＡＸ２２）はＥＣＭ時にＰＰＲを受信し、ＥＱＭ値が付加されていたとき、ＥＱＭ値が小さい（アナログ回線上の通信品質がよい）場合はＩＰ網上に問題があったと判断する。ＥＱＭ良し悪しの閾値はシステムメモリ５に保存し、ＰＰＲ受信時にＬＡＮ制御部１１が読み出して判定に使用する。ＩＰ網に問題があると判定した場合は画情報の再送時にＵＤＰの冗長パケット数を増やす。ＥＱＭ値が大きい場合は冗長パケット数を調整せずに伝送レートを下げる。手順例１のようにＰＰＲにＣＴＣを発行しシフトダウンを行う。非ＥＣＭの場合も同様にＩＰ網に問題があると判定した場合は画情報の再送時にＵＤＰの冗長パケット数を増やす。ＥＱＭ値が大きい場合は冗長パケット数を調整せずに伝送レートを下げる。手順例２のようにＲＴＮにＮＳＳ／ＴＣＦを発行しシフトダウンを行う。以上の処理を図５のＳ３１〜Ｓ３６にまとめた。
【図面の簡単な説明】
【０００８】
【図１】本発明の実施の形態に係るファクシミリ装置の機能ブロック図。
【図２】ファクシミリ装置のネットワーク構成図。
【図３】受信機制御フロー図。
【図４】送信機制御フロー図。
【図５】ＥＣＭ受信時のシフトダウン判断フロー図。
【図６】通信手順例１を示す図。
【図７】通信手順例２を示す図。
【符号の説明】
【０００９】
１  読み取り部
２  記録部
３  符号化復号化部
４  システム制御部
５  システムメモリ
６  画情報メモリ
７  操作表示部
８  通信制御部
９  モデム
１０  ＳＷ部
１１  ＬＡＮ制御部
【図１】
2005260832.tif 000003
【図２】
2005260832.tif 000004
【図３】
2005260832.tif 000005
【図４】
2005260832.tif 000006
【図５】
2005260832.tif 000007
【図６】
2005260832.tif 000008
【図７】
2005260832.tif 000009